(57)【特許請求の範囲】
【請求項１】
流体が流れる母管から分岐する分岐配管の配置形状を示す配管形状テンプレート情報と、前記分岐配管の内部を流れる前記流体の性状を示す情報を含む性状情報とに基づき、前記分岐配管の径を決定する配管径決定部と、
前記分岐配管を構成する要素であり、少なくとも前記分岐配管の径をパラメータとして有する配管要素を示す情報と、前記性状情報とが互いに関連付けられた情報である配管情報を取得する配管情報取得部と、
前記配管径決定部が決定する前記分岐配管の径と、前記性状情報とに基づき、前記配管情報取得部が取得する前記配管情報に示される複数の前記配管要素の中から、前記配管径決定部が決定した配管径と前記流体の性状とに応じた前記配管要素を選択する配管要素選択部と、
前記配管要素選択部が選択する前記配管要素を、前記配管形状テンプレート情報が示す前記分岐配管の配置形状に沿って配置することにより、前記配管要素の接続順序を示す配管配置情報を生成する配管配置情報生成部と、
前記配管形状テンプレート情報が示す前記分岐配管の配置形状のうち少なくとも一部の拡大倍率が変更された拡縮後の配置形状を生成する拡縮部と、
前記配管配置情報生成部が生成する前記配管配置情報を出力する出力部と
を備え、
前記配管形状テンプレート情報は、前記分岐配管を収容する空間の寸法を少なくとも示す分岐配管収容空間情報を更に有し、
前記拡縮部は、前記分岐配管収容空間情報が示す前記空間の寸法と、規定情報記憶部に記憶される前記空間の寸法と前記分岐配管との距離を少なくとも示す規定情報とに基づいて、拡縮後の配置形状を生成する
配管設計装置。
【請求項２】
前記配管配置情報は前記拡縮部が拡大倍率を変更した後の拡縮後の配置形状に基づいて生成される
請求項１に記載の配管設計装置。
【請求項３】
前記拡縮部が生成する拡縮後の配置形状が示す前記分岐配管の長さは、前記配管形状テンプレート情報が示す前記分岐配管の長さと異なる
請求項１又は請求項２に記載の配管設計装置。
【請求項４】
前記拡縮部は、前記配管形状テンプレート情報が示す前記分岐配管の配置形状のうち少なくとも一部の拡大倍率が変更された２つの配管が平行に配置されている場合は、前記２つの配管のうち長い方の配管に合わせて短い方の配管の長さを延長する
請求項１から請求項３のいずれか一項に記載の配管設計装置。
【請求項５】
前記配管配置情報生成部が生成する前記配管配置情報は、前記分岐配管収容空間情報が示す前記空間の寸法のうち少なくとも一部の拡大倍率が変更された拡縮後分岐配管収容空間情報を更に有し、
前記拡縮部は、前記配管配置情報生成部が生成する前記配管配置情報と、前記配管形状テンプレート情報が有する前記分岐配管収容空間情報と、前記規定情報とに基づいて、前記拡縮後分岐配管収容空間情報を生成し、
前記出力部は、前記拡縮部が生成する前記拡縮後分岐配管収容空間情報を有する前記配管配置情報を出力する
請求項１から請求項４のいずれか一項に記載の配管設計装置。
【請求項６】
前記出力部は、前記配管配置情報を閲覧するビューワーが独自形式のファイルと、前記ビューワー以外の他のビューワーと共通に閲覧可能な共通形式のファイルとにより前記配管配置情報を閲覧可能な場合、前記共通形式のファイルにより前記配管配置情報を出力する
請求項１から請求項５のいずれか一項に記載の配管設計装置。
【請求項７】
前記配管形状テンプレート情報は、前記流体の流量、前記流体の圧力又は前記流体の流量及び前記流体の圧力の区分を示す情報を含み、
前記配管径決定部は、前記配管形状テンプレート情報に含まれる前記流体の流量、前記流体の圧力又は前記流体の流量及び前記流体の圧力の区分に基づいて前記分岐配管の径を決定する
請求項１から請求項６のいずれか一項に記載の配管設計装置。
【請求項８】
前記流体は、ガスであり、
前記性状情報は、少なくとも前記流体の圧力、温度、流量、流速又は組成のいずれかを含む
請求項１から請求項７のいずれか一項に記載の配管設計装置。
【請求項９】
コンピュータに、
流体が流れる母管から分岐する分岐配管の配置形状を示す配管形状テンプレート情報と、前記分岐配管の内部を流れる前記流体の性状を示す情報を含む性状情報とに基づき、前記分岐配管の径を決定する配管径決定ステップと、
前記分岐配管を構成する要素であり、少なくとも前記分岐配管の径をパラメータとして有する配管要素を示す情報と、前記性状情報とが互いに関連付けられた情報である配管情報を取得する配管情報取得ステップと、
前記配管径決定ステップが決定する前記分岐配管の径と、前記性状情報とに基づき、前記配管情報取得ステップが取得する前記配管情報に示される複数の前記配管要素の中から、前記配管径決定ステップが決定した配管径と前記流体の性状とに応じた前記配管要素を選択する配管要素選択ステップと、
前記配管要素選択ステップが選択する前記配管要素を、前記配管形状テンプレート情報が示す前記分岐配管の配置形状に沿って配置することにより、前記配管要素の接続順序を示す配管配置情報を生成する配管配置情報生成ステップと、
前記配管形状テンプレート情報が示す前記分岐配管の配置形状のうち少なくとも一部の拡大倍率が変更された拡縮後の配置形状を生成する拡縮ステップと、
前記配管配置情報生成ステップが生成する前記配管配置情報を出力する出力ステップとを実行させるためのプログラムであって、
前記配管形状テンプレート情報は、前記分岐配管を収容する空間の寸法を少なくとも示す分岐配管収容空間情報を更に有し、
前記拡縮ステップは、前記分岐配管収容空間情報が示す前記空間の寸法と、規定情報記憶部に記憶される前記空間の寸法と前記分岐配管との距離を少なくとも示す規定情報とに基づいて、拡縮後の配置形状を生成する
プログラム。
【発明の詳細な説明】
【技術分野】
【０００１】
本発明は、配管設計装置及びプログラムに関する。
【背景技術】
【０００２】
従来、ガバナステーション等の配管設計は、配管設計技術者により行われていた。配管設計技術者は、配管内部を流れる流体であるガスの性状に基づいて配管のサイズや使用部品を選定し、選定した部品をガバナステーション等の建設予定地の土地の形状に合わせて配置していた。しかしながら、配管設計技術者による配管設計には、多くの経験を要し、時間もかかっていた。
【０００３】
一方、流体を使用する条件を入力することにより、配管形状を選択する技術が知られている。（例えば、特許文献１を参照）。
【先行技術文献】
【特許文献】
【０００４】
【特許文献１】特開２００５−２６７０６７号公報
【発明の概要】
【発明が解決しようとする課題】
【０００５】
特許文献１に記載のような従来技術によると、配管の口径や長さ等を算出することが可能になるものの、三次元空間における配管の設計には依然として配管設計技術者による配管設計の経験を要していた。
【０００６】
本発明は、このような状況に鑑みてなされたものであり、配管設計技術者の経験によらず、配管設計を行うことを目的とする。
【課題を解決するための手段】
【０００７】
本発明の一態様に係る配管設計装置は、流体が流れる母管から分岐する分岐配管の配置形状を示す配管形状テンプレート情報と、前記分岐配管の内部を流れる前記流体の性状を示す情報を含む性状情報とに基づき、前記分岐配管の径を決定する配管径決定部と、前記分岐配管を構成する要素であり、少なくとも前記分岐配管の径をパラメータとして有する配管要素を示す情報と、前記性状情報とが互いに関連付けられた情報である配管情報を取得する配管情報取得部と、前記配管径決定部が決定する前記分岐配管の径と、前記性状情報とに基づき、前記配管情報取得部が取得する前記配管情報に示される複数の前記配管要素の中から、前記配管径決定部が決定した配管径と前記流体の性状とに応じた前記配管要素を選択する配管要素選択部と、前記配管要素選択部が選択する前記配管要素を、前記配管形状テンプレート情報が示す前記分岐配管の配置形状に沿って配置することにより、前記配管要素の接続順序を示す配管配置情報を生成する配管配置情報生成部と、前記配管形状テンプレート情報が示す前記分岐配管の配置形状のうち少なくとも一部の拡大倍率が変更された拡縮後の配置形状を生成する拡縮部と、前記配管配置情報生成部が生成する前記配管配置情報を出力する出力部とを備え、前記配管形状テンプレート情報は、前記分岐配管を収容する空間の寸法を少なくとも示す分岐配管収容空間情報を更に有し、前記拡縮部は、前記分岐配管収容空間情報が示す前記空間の寸法と、規定情報記憶部に記憶される前記空間の寸法と前記分岐配管との距離を少なくとも示す規定情報とに基づいて、拡縮後の配置形状を生成する。
【０００８】
また、本発明の一態様に係る配管設計装置は、前記配管配置情報は前記拡縮部が拡大倍率を変更した後の拡縮後の配置形状に基づいて生成される。
【０００９】
また、本発明の一態様に係る配管設計装置において、前記拡縮部が生成する拡縮後の配置形状が示す前記分岐配管の長さは、前記配管形状テンプレート情報が示す前記分岐配管の長さと異なる。
【００１０】
また、本発明の一態様に係る配管設計装置において、前記拡縮部は、前記配管形状テンプレート情報が示す前記分岐配管の配置形状のうち少なくとも一部の拡大倍率が変更された２つの配管が平行に配置されている場合は、前記２つの配管のうち長い方の配管に合わせて短い方の配管の長さを延長する。
【００１２】
また、本発明の一態様に係る配管設計装置において、前記配管配置情報生成部が生成する前記配管配置情報は、前記分岐配管収容空間情報が示す前記空間の寸法のうち少なくとも一部の拡大倍率が変更された拡縮後分岐配管収容空間情報を更に有し、前記拡縮部は、前記配管配置情報生成部が生成する前記配管配置情報と、前記配管形状テンプレート情報が有する前記分岐配管収容空間情報と、前記規定情報とに基づいて、前記拡縮後分岐配管収容空間情報を生成し、前記出力部は、前記拡縮部が生成する前記拡縮後分岐配管収容空間情報を有する前記配管配置情報を出力する。
【００１３】
また、本発明の一態様に係る配管設計装置において、前記出力部は、前記配管配置情報を閲覧するビューワーが独自形式のファイルと、前記ビューワー以外の他のビューワーと共通に閲覧可能な共通形式のファイルとにより前記配管配置情報を閲覧可能な場合、前記共通形式のファイルにより前記配管配置情報を出力する。
【００１４】
また、本発明の一態様に係る配管設計装置において、前記配管形状テンプレート情報は、前記流体の流量、前記流体の圧力又は前記流体の流量及び前記流体の圧力の区分を示す情報を含み、前記配管径決定部は、前記配管形状テンプレート情報に含まれる前記流体の流量、前記流体の圧力又は前記流体の流量及び前記流体の圧力の区分に基づいて前記分岐配管の径を決定する。
【００１５】
また、本発明の一態様に係る配管設計装置において、前記流体は、ガスであり、前記性状情報は、少なくとも前記流体の圧力、温度、流量、流速又は組成のいずれかを含む。
【００１６】
本発明の一態様に係るプログラムは、コンピュータに、流体が流れる母管から分岐する分岐配管の配置形状を示す配管形状テンプレート情報と、前記分岐配管の内部を流れる前記流体の性状を示す情報を含む性状情報とに基づき、前記分岐配管の径を決定する配管径決定ステップと、前記分岐配管を構成する要素であり、少なくとも前記分岐配管の径をパラメータとして有する配管要素を示す情報と、前記性状情報とが互いに関連付けられた情報である配管情報を取得する配管情報取得ステップと、前記配管径決定ステップが決定する前記分岐配管の径と、前記性状情報とに基づき、前記配管情報取得ステップが取得する前記配管情報に示される複数の前記配管要素の中から、前記配管径決定ステップが決定した配管径と前記流体の性状とに応じた前記配管要素を選択する配管要素選択ステップと、前記配管要素選択ステップが選択する前記配管要素を、前記配管形状テンプレート情報が示す前記分岐配管の配置形状に沿って配置することにより、前記配管要素の接続順序を示す配管配置情報を生成する配管配置情報生成ステップと、前記配管形状テンプレート情報が示す前記分岐配管の配置形状のうち少なくとも一部の拡大倍率が変更された拡縮後の配置形状を生成する拡縮ステップと、前記配管配置情報生成ステップが生成する前記配管配置情報を出力する出力ステップとを実行させるためのプログラムであって、前記配管形状テンプレート情報は、前記分岐配管を収容する空間の寸法を少なくとも示す分岐配管収容空間情報を更に有し、前記拡縮ステップは、前記分岐配管収容空間情報が示す前記空間の寸法と、規定情報記憶部に記憶される前記空間の寸法と前記分岐配管との距離を少なくとも示す規定情報とに基づいて、拡縮後の配置形状を生成する。
【発明の効果】
【００１７】
本発明によれば、配管設計技術者の経験によらず、配管設計を行う配管設計装置を提供することができる。
【図面の簡単な説明】
【００１８】
【図１】実施形態における自動配管設計システムの構成の一例を示す図である。
【図２】実施形態における母管及び分岐配管の一例を示す図である。
【図３】実施形態における形状情報の一例を示す図である。
【図４】実施形態における流体情報の一例を示す図である。
【図５】実施形態における配管設計装置の構成の一例を示す図である。
【図６】実施形態における性状情報取得画面の一例を示す図である。
【図７】実施形態における配管情報の一例を示す図である。
【図８】実施形態における配管配置情報の一例を示す図である。
【図９】実施形態における配管設計装置の一連の動作の一例を示す図である。
【発明を実施するための形態】
【００１９】
図を参照しながら、実施形態に係る自動配管設計システム１の一例について説明する。
図１は、実施形態に係る自動配管設計システム１の構成の一例を示す図である。
【００２０】
［自動配管設計システム１の構成］
自動配管設計システム１は、配管設計装置１０と、配管形状テンプレート情報記憶部２０と、配管情報記憶部４０と、規定情報記憶部６０とを備える。
【００２１】
自動配管設計システム１は、ユーザ７０からの要求に基づき、分岐配管ＢＰの配置形状を提供するシステムである。ここで、本実施形態において、分岐配管ＢＰとは、流体が流れる母管ＭＰから分岐する配管である。
図２は、実施形態における母管ＭＰ及び分岐配管ＢＰの一例を示す図である。母管ＭＰ及び分岐配管ＢＰを、ｘ軸、ｙ軸及びｚ軸の三次元直交座標系によって示す。
同図に示すように、配管Ｐは、母管ＭＰと、分岐配管ＢＰとを備える。母管ＭＰには、ｘ軸方向に所定の流体が流れる。母管ＭＰに流れる流体は、分岐点Ｐ１及び分岐点Ｐ２において、分岐配管ＢＰに流れ込む。分岐点Ｐ１及び分岐点Ｐ２において分岐配管ＢＰに流れ込んだ流体は、分岐配管ＢＰを通り終点Ｐ５に流れ込む。
【００２２】
ここで、流体とは、液体、気体及び粉体である。母管ＭＰに流れる流体は、水や液体窒素等の液体、ガスや蒸気等の気体、セメントやポリエチレン等の粉体であってもよい。本実施形態において流体とは、天然ガス、都市ガス、メタンガス、ＬＰＧガス、水素ガス等のガスであるとして説明する。
【００２３】
図１に戻り、配管形状テンプレート情報記憶部２０は、配管形状テンプレート情報ＴＩを記憶する。配管形状テンプレート情報ＴＩとは、分岐配管ＢＰの形状を記憶した情報である。配管形状テンプレート情報ＴＩに示される分岐配管ＢＰの形状は、建屋等の空間の形状に基づいて配置される。
ここで、建屋とは、ガバナステーション、バルブステーション，メータステーション，昇圧ステーション，ガス放散ステーション，ピグステーション，熱量調整ステーション等の他、ガス機器設備等を広く含む。本実施形態において、建屋とはガバナステーションである場合の一例について説明する。配管形状テンプレート情報ＴＩは、既往の設計実績により作成される。
なお、この一例において分岐配管が収容される空間は、上述したような建造物を有する設備に限らず、屋内と屋外とを隔てる建造物を有さない設備であってもよい。例えば、分岐配管が収容される空間は、屋外における建造物の基礎の形状により示される空間であってもよい。
配管形状テンプレート情報ＴＩは、流体が流れる母管ＭＰから分岐する分岐配管ＢＰの配置形状を示す形状情報ＴＬＩと、配管Ｐに流れる流体の情報を示す流体情報ＴＦＩとを有する。
【００２４】
図３は、実施形態における形状情報ＴＬＩの一例を示す図である。同図では、図２においてｘ軸、ｙ軸及びｚ軸の三次元直交座標系によって示した母管ＭＰ及び分岐配管ＢＰの配管形状を、配管形状テンプレート情報ＴＩとして示す。この一例では、配管形状テンプレート情報ＴＩをｘ軸及びｙ軸の二次元直交座標系によって示す。配管形状テンプレート情報ＴＩは、三次元情報であるため、配管形状テンプレート情報ＴＩを三次元情報で表示してもよい。
具体的には、配管形状テンプレート情報ＴＩが有する形状情報ＴＬＩとは、分岐配管ＢＰが配置される配置位置の中心線を記載した形状データを含む情報である。つまり、配管形状テンプレート情報ＴＩは、流体が流れる母管ＭＰから分岐する分岐配管ＢＰの配置形状を示す。
【００２５】
同図において、母管情報ＭＰＩは母管ＭＰの配置位置の情報である。母管ＭＰは、分岐点Ｐ１及び分岐点Ｐ２において、分岐配管ＢＰに分岐する。母管ＭＰの内部を流れる流体は、分岐点Ｐ１及び分岐点Ｐ２において分岐配管ＢＰに流れ込む。分岐配管ＢＰを通り終点Ｐ５に流れ込む。形状情報ＴＬＩは、分岐点Ｐ１、分岐点Ｐ２及び終点Ｐ５の位置情報を含む。
この一例において、分岐配管ＢＰは、分岐配管ＢＰ１と、分岐配管ＢＰ２と、分岐配管ＢＰ３と、分岐配管ＢＰ４と、分岐配管ＢＰ５と、分岐配管ＢＰ６と、分岐配管ＢＰと７とを備える。
分岐配管情報ＢＰＩ１は分岐配管ＢＰ１の情報を、分岐配管情報ＢＰＩ２は分岐配管ＢＰ２の情報を、分岐配管情報ＢＰＩ３は分岐配管ＢＰ３の情報を、分岐配管情報ＢＰＩ４は分岐配管ＢＰ４の情報を、分岐配管情報ＢＰＩ５は分岐配管ＢＰ５の情報を、分岐配管情報ＢＰＩ６は分岐配管ＢＰ６の情報を、分岐配管情報ＢＰＩ７は分岐配管ＢＰ７の情報を、それぞれ示す。形状情報ＴＬＩが有する岐配管ＢＰの情報は、分岐配管ＢＰの流量毎に定められる。
この一例において、分岐配管ＢＰ１は、分岐点Ｐ３及び分岐点Ｐ４において、分岐配管ＢＰ２に接続される。
【００２６】
なお、形状情報ＴＬＩは、分岐配管ＢＰが配置される分岐配管収容空間情報を含んでいてもよい。
分岐配管収容空間情報は、ガバナ―ステーション等の建屋や、建屋を持たない屋外の設備等の情報であってもよい。この一例において、分岐配管収容空間情報は、建屋情報ＢＩである場合について説明する。
具体的には、形状情報ＴＬＩは、分岐配管収容空間情報として、建屋情報ＢＩ１及び建屋情報ＢＩ２を有していてもよい。同図において、建屋情報ＢＩ１は機器室Ａの情報を、建屋情報ＢＩ２は機器室Ｂの情報をそれぞれ示す。建屋情報ＢＩ１及び建屋情報ＢＩ２を区別しない場合は建屋情報ＢＩと記載する。
【００２７】
なお、形状情報ＴＬＩには分岐配管ＢＰを支持する支持部材（不図示）及び分岐配管ＢＰを固定する固定部材（不図示）等の部材が配置される部材配置位置情報を記憶していてもよい。
【００２８】
図４は、実施形態における流体情報ＴＦＩの一例を示す図である。流体情報ＴＦＩには、それぞれの分岐配管ＢＰの情報（図３に示した、分岐配管情報ＢＰＩ１から分岐配管情報ＢＰＩ７までの情報）に対し、流量と圧力とが対応付けられて記憶されている。
一例として、“分岐配管情報ＢＰＩ１ ”に対し、“流量：Ｑ１”と、“圧力： Ｐ１”とが、対応付けられて記憶されている。この一例において、流量及び圧力は、分岐配管ＢＰに流れる標準ガス流量を基準とした倍数（例えば、１／２から２倍等）により相対的な区分を示した値である。つまり、配管形状テンプレート情報ＴＩは、流体の流量、流体の圧力又は流体の流量及び流体の圧力の区分を示す情報を含む。
流量及び圧力を示す値は、この一例に限定されず、標準ガス流量に依存しない絶対的な値で示してもよい。
【００２９】
図１に戻り、配管情報記憶部４０は、分岐配管ＢＰを構成する要素であるパーツの情報である配管情報ＰＩを記憶する。具体的には、配管情報ＰＩは、配管の種類、口径、肉厚、材質、製造方法等を含む。
【００３０】
規定情報記憶部６０は、分岐配管ＢＰの配置に関する規定である規定情報ＲＩを記憶する。一例として、規定情報ＲＩは、形状情報ＴＬＩに含まれる建屋情報ＢＩに示される建屋の外壁と、分岐配管情報ＢＰＩに示される分岐配管ＢＰとの距離を規定する。
規定情報ＲＩは、設備の配置上，建設上，メンテナンス上必要な離隔距離等を規定として含んでいてもよい。
【００３１】
ユーザ７０は、自動配管設計システム１により、ガバナステーション等の配管設計を行う者である。ユーザ７０は、配管設計装置１０に性状情報ＣＩを提供し、配管設計装置１０から配管配置情報ＬＩを取得する。
性状情報ＣＩとは、分岐配管ＢＰの内部を流れる流体の性状を示す情報を含む。性状情報ＣＩは、少なくとも母管ＭＰを流れる流体の圧力、温度、流量、流速又は組成のいずれかの情報を含む。
配管配置情報ＬＩとは、配管形状テンプレート情報記憶部２０が記憶する配管形状テンプレート情報ＴＩに、配管情報記憶部４０が記憶する配管情報ＰＩを配置した情報である。
【００３２】
配管設計装置１０は、ユーザ７０から性状情報ＣＩを取得する。配管設計装置１０は、配管形状テンプレート情報記憶部２０から配管形状テンプレート情報ＴＩを取得する。配管設計装置１０は、配管情報記憶部４０から配管情報ＰＩを取得する。配管設計装置１０は、規定情報記憶部６０から規定情報ＲＩを取得する。
配管設計装置１０は、取得した性状情報ＣＩ、配管形状テンプレート情報ＴＩ、配管情報ＰＩ及び規定情報ＲＩに基づいて配管配置情報ＬＩを生成する。配管設計装置１０は、生成した配管配置情報ＬＩをユーザ７０に提供する。
【００３３】
［配管設計装置１０の構成］
図５は、実施形態における配管設計装置１０の構成の一例を示す図である。
配管設計装置１０は、配管径決定部１１０と、配管情報取得部１２０と、配管要素選択部１３０と、配管配置情報生成部１４０と、出力部１５０と、拡縮部１６０とを備える。
【００３４】
配管径決定部１１０は、配管形状テンプレート情報記憶部２０から配管形状テンプレート情報ＴＩを取得する。配管形状テンプレート情報ＴＩは、形状情報ＴＬＩ及び流体情報ＴＦＩを有する情報である。
【００３５】
この一例において、建屋はガバナステーションとして説明している。この場合において、配管形状テンプレート情報記憶部２０は、ガバナステーションの規模に応じて複数の配管形状テンプレート情報ＴＩを有していてもよい。
また、本実施形態において、建屋とは、ガバナステーション、バルブステーション，メータステーション，昇圧ステーション，ガス放散ステーション，ピグステーション，熱量調整ステーション等の他ガス機器設備等を広く含むため、配管形状テンプレート情報記憶部２０は、それぞれの建屋について複数の配管形状テンプレート情報ＴＩを有していてもよい。また、配管形状テンプレート情報記憶部２０は、建屋を持たない屋外の設備について複数の配管形状テンプレート情報ＴＩを有していてもよい。
【００３６】
配管径決定部１１０は、性状情報取得部３０を介して、ユーザ７０から性状情報ＣＩを取得する。
配管径決定部１１０は、配管形状テンプレート情報記憶部２０から取得した配管形状テンプレート情報ＴＩと、性状情報取得部３０を介して取得した性状情報ＣＩとに基づき、分岐配管ＢＰの径を決定する。また、配管径決定部１１０は、配管形状テンプレート情報ＴＩに含まれる流体の流量、流体の圧力又は流体の流量及び流体の圧力の区分に基づいて、分岐配管の径を決定する。
【００３７】
ここで、性状情報取得部３０の一例について、図を参照しながら説明する。
図６は、実施形態における性状情報取得画面３００の一例を示す図である。性状情報取得画面３００は、性状情報取得部３０の一例である。
性状情報取得画面３００は、性状情報入力部３２０、必要口径計算ボタン３３０及び必要口径表示部３６０を画面の構成要素として備える。
【００３８】
性状情報入力部３２０は、上流側圧力入力ボックス３２１と、下流側圧力入力ボックス３２２と、流量入力ボックス３２３と、最高流速入力ボックス３２４とを画面の構成要素として備える。以降、上流側圧力入力ボックス３２１と、下流側圧力入力ボックス３２２と、流量入力ボックス３２３と、最高流速入力ボックス３２４とを区別しない場合は、性状情報入力ボックス３２５とする。
性状情報入力部３２０は、性状情報入力ボックス３２５に入力された性状情報ＣＩを取得する。性状情報ＣＩは、上流側圧力、下流側圧力、流量、最高流速を含む。
【００３９】
上流側圧力は、母管ＭＰから分岐配管ＢＰに分岐する点である分岐点Ｐ１及び分岐点Ｐ２における圧力である。この一例において、上流側圧力は、１．０ＭＰａである。
下流側圧力は、分岐配管ＢＰの終点Ｐ５における圧力である。この一例において、下流側圧力は、０．１ＭＰａである。
流量は、母管ＭＰに流れる流体の流量である。この一例において、流量は、１０００ｍ３Ｎ／ｈである。
最高流速は、母管ＭＰに流れる流体の流量である。この一例において、最高流速は、１０ｍ／ｓｅｃである。
【００４０】
なお、性状情報入力ボックス３２５は、あらかじめ記憶された数値の中から、ユーザ７０に所定の数値を選択させるように構成することにより、性状情報ＣＩを取得してもよい。
例えば、上流側圧力入力ボックス３２１は、上流側圧力選択ボタン３２１ａを備える。上流側圧力入力ボックス３２１は、ユーザ７０に上流側圧力選択ボタン３２１ａにより所定の数値を選択するよう構成してもよい。
【００４１】
性状情報入力部３２０は、取得した性状情報ＣＩを配管径決定部１１０及び配管要素選択部１３０に提供する。
【００４２】
必要口径計算ボタン３３０は、性状情報入力部３２０に入力された性状情報ＣＩに基づき、分岐配管ＢＰの必要口径を表示させるためのボタンである。性状情報取得画面３００は、必要口径計算ボタン３３０に対する操作がなされたことを検出すると、必要口径表示部３６０に対して、分岐配管ＢＰの必要口径を表示させる。
具体的には、配管径決定部１１０は、必要口径の計算を行う。配管径決定部１１０は、配管形状テンプレート情報記憶部２０から取得した配管形状テンプレート情報ＴＩ及び性状情報取得部３０から取得した性状情報ＣＩに基づき、分岐配管ＢＰの径を計算し、計算した分岐配管ＢＰの径に基づき、必要口径を選定する。
【００４３】
必要口径表示部３６０は、計算値表示部３４０及び選定口径表示部３５０を画面の構成要素として備える。
計算値表示部３４０は、配管形状テンプレート情報ＴＩに定められた分岐配管ＢＰごとの必要口径を表示する。計算値表示部３４０は、配管径決定部１１０により計算された分岐配管ＢＰの必要口径を表示する。同図において、符号３４１には分岐配管ＢＰ１の必要口径を、符号３４２には分岐配管ＢＰ２の必要口径を、符号３４３には分岐配管ＢＰ３の必要口径を、それぞれ示している。
選定口径表示部３５０は、計算値表示部３４０に示された必要口径に基づき、選定された配管の口径（選定口径）を表示する。計算値表示部３４０は、配管径決定部１１０により選定された選定口径を表示する。同図において、符号３５１には分岐配管ＢＰ１の選定口径を、符号３５２には分岐配管ＢＰ２の選定口径を、符号３５３には分岐配管ＢＰ３の選定口径を、符号３５４には分岐配管ＢＰ４の選定口径を、符号３５５には分岐配管ＢＰ５の選定口径を、それぞれ示している。
【００４４】
なお、性状情報取得画面３００は、ファイル読み込み部３１０を備えていてもよい。ここで、ファイルとは、既に性状情報ＣＩが性状情報入力部３２０に入力され、必要口径の選定がなされた情報が保存されているファイルである。
ファイル読み込み部３１０は、ＵＲＬ入力ボックス３１１と、参照ボタン３１２と、読み込みボタン３１３とを画面の構成要素として備える。
ファイル読み込み部３１０は、ＵＲＬ入力ボックス３１１に入力されたファイルの格納先にあるファイルを取得する。
【００４５】
なお、この一例において、ユーザ７０が参照するファイルは、ベンダ依存のファイル形式であっても、ベンダ非依存のファイル形式であってもよい。ベンダ非依存のファイル形式である場合、配管設計装置１０は、ファイル読み込み部３１０により、他の装置により生成されたファイルを読み込むことができる。
【００４６】
図５に戻り、配管情報取得部１２０は、配管情報記憶部４０から、分岐配管ＢＰを構成する要素であるパーツの情報である配管情報ＰＩを取得する。
配管情報ＰＩは、分岐配管ＢＰを構成する要素であり、少なくとも分岐配管ＢＰの径をパラメータとして有する。また、配管情報ＰＩは配管要素ごとに性状情報ＣＩを示す情報を有する。
配管情報ＰＩとは、分岐配管ＢＰを構成する要素であり、少なくとも分岐配管ＢＰの径をパラメータとして有する配管要素を示す情報と、性状情報ＣＩとが互いに関連付けられた情報である。
【００４７】
ここで、配管情報ＰＩについて図を参照しながら説明する。
図７は、実施形態における配管情報ＰＩの一例を示す図である。同図に示す一例において、例えば、配管情報ＰＩ１には、配管要素“名前：Ｓ００１、種類：直管、口径：１００、肉厚：６．０、材質：炭素鋼、製造方法：溶接、…”と、性状情報“種類：天然ガス、圧力：１．１４、流速：３３．６、…”との各情報が互いに対応付けられている。
これと同様に、配管情報ＰＩ２、配管情報ＰＩ３、配管情報ＰＩ４、配管情報ＰＩ５、配管情報ＰＩ６、配管情報ＰＩ７、配管情報ＰＩ８、配管情報ＰＩ９、配管情報ＰＩ１０、配管情報ＰＩ１１、配管情報ＰＩ１２、配管情報ＰＩ１３、配管情報ＰＩ１４、配管情報ＰＩ１５のそれぞれについて、配管要素と性状情報との各情報が互いに対応づけられている。
【００４８】
配管の種類は、同図に示された直管、曲管、レジューサ、異径ＴＥＥ、同径ＴＥＥの他、フランジ等の配管パーツであってもよい。直管の場合は、口径、肉厚、材質、製造方法等の情報が対応付けられている。曲管の場合は、口径、肉厚、材質、製造方法の他、曲率等の情報が対応付けられていてもよい。レジューサの場合は、口径、肉厚、材質、製造方法の他、同心又は偏心を示す形状情報等の情報が対応付けられていてもよい。異径ＴＥＥの場合は、口径、肉厚、材質、製造方法の他、中心から端面までの距離や、それぞれの口径についての情報等の情報が対応付けられていてもよい。同径ＴＥＥの場合は、口径、肉厚、材質、製造方法の他、中心から端面までの距離等の情報が対応付けられていてもよい。フランジの場合は、口径、肉厚、材質、製造方法の他、耐圧力等の情報が対応付けられていてもよい。
【００４９】
図５に戻り、配管情報取得部１２０は、取得した配管情報ＰＩを配管要素選択部１３０及び配管配置情報生成部１４０に提供する。
【００５０】
配管要素選択部１３０は、配管径決定部１１０から取得した分岐配管径情報ＤＩに示される分岐配管ＢＰの径と、性状情報ＣＩに基づき、配管要素を選択する。配管要素は、配管情報取得部１２０が取得する配管情報ＰＩに示される複数の配管要素の中から、配管径決定部１１０が決定した配管径と、性状情報ＣＩに示される流体の性状とに応じて選択される。
配管要素選択部１３０は、選択した配管要素を、配管要素情報ＥＩとして配管配置情報生成部１４０に提供する。
【００５１】
配管配置情報生成部１４０は、配管形状テンプレート情報記憶部２０から配管形状テンプレート情報ＴＩを取得し、配管情報取得部１２０から配管情報ＰＩを取得し、配管要素選択部１３０から配管要素情報ＥＩを取得する。
配管配置情報生成部１４０は、配管要素選択部１３０が選択する配管要素情報ＥＩを、配管形状テンプレート情報ＴＩが示す分岐配管ＢＰの配置形状に沿って配置する。
【００５２】
ここで、配管要素選択部１３０が選択する配管要素情報ＥＩを、配管形状テンプレート情報ＴＩが示す分岐配管ＢＰの配置形状に沿って配置した情報である配管配置情報ＬＩについて図を参照しながら説明する。
図８は、実施形態における配管配置情報ＬＩの一例を示す図である。
母管情報ＭＰＩ、分岐配管情報ＢＰＩ１及び分岐配管情報ＢＰＩ２は、形状情報ＴＬＩに示される情報である。図３において、分岐配管ＢＰが分岐配管ＢＰ１から分岐配管ＢＰ７までの７つの分岐配管ＢＰに分けられ、それぞれについて流体情報が定義される一例を示したが、図８においては、分岐配管ＢＰ１から分岐配管ＢＰ７のうち、分岐配管ＢＰ１及び分岐配管ＢＰ２の例について説明する。
分岐配管ＢＰ１は、分岐点Ｐ１及び分岐点Ｐ２において母管ＭＰから分岐している。また、分岐配管ＢＰ２は、分岐点Ｐ３及び分岐点Ｐ４において分岐配管ＢＰ１から分岐している。
【００５３】
配管要素選択部１３０は、分岐配管情報ＢＰＩ１の形状及び性状情報ＣＩに基づき、配管情報ＰＩのうちから配管要素を選択する。配管要素選択部１３０は、選択した配管要素を分岐配管情報ＢＰＩ１が示す形状に沿って配置する。この一例において、配管要素選択部１３０は、配管情報ＰＩのうちから配管Ｐ１１、配管Ｐ１２、配管Ｐ１３、配管Ｐ１４、配管Ｐ１５、配管Ｐ１６及び配管Ｐ１７を選択し、分岐配管情報ＢＰＩ１が示す形状に沿って配置している。配管Ｐ１１、配管Ｐ１４及び配管Ｐ１７は、直管である。配管Ｐ１２及び配管Ｐ１６は曲管である。配管Ｐ１３及び配管Ｐ１５は、異径ＴＥＥである。
【００５４】
配管要素選択部１３０は、分岐配管情報ＢＰＩ２の形状及び性状情報ＣＩに基づき、配管情報ＰＩのうちから配管要素を選択する。配管要素選択部１３０は、選択した配管要素を分岐配管情報ＢＰＩ２が示す形状に沿って配置する。この一例において、配管要素選択部１３０は、配管情報ＰＩのうちから配管Ｐ１８、配管Ｐ１９、配管Ｐ２０、配管Ｐ２１、配管Ｐ２２、配管Ｐ２３、配管Ｐ２４及び配管Ｐ２５を選択し、分岐配管情報ＢＰＩ２が示す形状に沿って配置している。配管Ｐ１９、配管Ｐ２１、配管Ｐ２２及び配管Ｐ２４は、直管である。配管Ｐ１８、配管Ｐ２０、配管Ｐ２３及び配管Ｐ２５は曲管である。
【００５５】
同図に示したように、配管配置情報ＬＩは、配管要素の接続順序を示す。
図５に戻り、配管配置情報生成部１４０は、配管要素情報ＥＩを分岐配管ＢＰの配置形状に沿って配置した情報を、拡縮前配管配置情報ＢＬＩとして出力部１５０及び拡縮部１６０に提供する。この場合、拡縮前配管配置情報ＢＬＩは配管配置情報ＬＩの一例である。
【００５６】
出力部１５０は、配管配置情報生成部１４０から拡縮前配管配置情報ＢＬＩを取得する。出力部１５０は、配管配置情報生成部が生成する拡縮前配管配置情報ＢＬＩを、配管配置情報ＬＩとして記憶部５０に出力する。
記憶部５０は、ユーザ７０により配管設計装置１０に接続された汎用メモリであってもよい。配管設計装置１０と、記憶部５０との通信方式は限定されない。一例として、配管設計装置１０は、無線通信により記憶部５０に対し、配管配置情報ＬＩを送信する。その場合、出力部１５０は送信部である。出力部１５０は、有線接続された通信方式によって記憶部５０に配管配置情報ＬＩを出力してもよい。
【００５７】
なお、出力部１５０が出力する配管配置情報ＬＩのファイル形式は、配管設計装置１０により閲覧可能なファイル形式（独自形式のファイル）であってもよいし、他の装置と共通で閲覧可能なファイル形式（共通形式）であってもよい。この一例において、出力部１５０は、共通形式により配管配置情報ＬＩを出力する。つまり、出力部１５０は、配管配置情報ＬＩを閲覧するビューワーが独自形式のファイルと、ビューワー以外の他のビューワーと共通に閲覧可能な共通形式のファイルとにより閲覧可能な場合、共通形式のファイルにより配管配置情報ＬＩを出力する。
【００５８】
なお、配管設計装置１０は、拡縮部１６０を備えていてもよい。
拡縮部１６０は、配管配置情報生成部１４０から拡縮前配管配置情報ＢＬＩを、配管情報取得部１２０から配管情報ＰＩを取得する。
拡縮部１６０は、取得される拡縮前配管配置情報ＢＬＩに示される配管要素の情報に基づき、配置形状の拡大倍率を変更した位置に配管要素を配置する。一例として、配管要素と配管要素との距離が所定の長さ（以降、離隔距離と記載する。）より長い場合に、拡縮部１６０は、配管情報ＰＩのうちから、離隔距離を満足することができる配管要素を選択し、配置形状の拡大倍率を変更する。拡縮部１６０は、配置形状の拡大倍率を変更した位置に配管要素を配置する。つまり、拡縮部１６０は、配管形状テンプレート情報ＴＩが示す分岐配管ＢＰの配置形状のうち少なくとも一部の拡大倍率が変更された拡縮後の配置形状を生成する。
【００５９】
この一例において、拡縮部１６０は、直管の長さを変えることにより、配置形状の拡縮を行う。つまり、拡縮部１６０が配置形状を拡大する場合、曲管やＴＥＥは変更せず、直管の長さを長くすることにより配置形状を拡大する。また、拡縮部１６０が配置形状を縮小する場合、曲管やＴＥＥは変更せず、直管の長さを短くすることにより配置形状を縮小する。なお、２つの配管が平行に配置されている場合には、拡縮部１６０は、２つの配管のうち長い方の配管に合わせて短い方の配管の長さを延長する。
つまり、拡縮部１６０は、配管形状テンプレート情報ＴＩが示す分岐配管ＢＰの配置形状のうち少なくとも一部の拡大倍率が変更された２つの配管が平行に配置されている場合は、２つの配管のうち長い方の配管に合わせて短い方の配管の長さを延長する。
【００６０】
拡縮部１６０は、拡縮後の配管配置情報ＬＩを拡縮後配管配置情報ＡＬＩとして、出力部１５０に出力する。拡縮後配管配置情報ＡＬＩは、拡縮部１６０が拡大倍率を変更した後の拡縮後の配置形状に基づいて生成される。拡縮後配管配置情報ＡＬＩは、配管配置情報ＬＩの一例である。
拡縮部１６０が生成する拡縮後の配置形状が示す分岐配管ＢＰの長さ（つまり、拡縮後配管配置情報ＡＬＩ）は、配管形状テンプレート情報が示す分岐配管ＢＰの長さと異なる。
【００６１】
なお、配管設計装置１０は、規定情報ＲＩを記憶した規定情報記憶部６０から、規定情報ＲＩを取得する構成としてもよい。規定情報ＲＩとは、離隔距離等の情報である。規定情報ＲＩに示される離隔距離は、分岐配管ＢＰを収容する空間の寸法と分岐配管との距離を少なくとも示す。隔離情報は、設備の配置上，建設上，メンテナンス上必要な間隔を考慮して決められる。
拡縮部１６０は、建屋情報ＢＩが示す空間の寸法と、規定情報記憶部６０に記憶される規定情報ＲＩとに基づいて、拡縮後の配置形状を生成する。
拡縮部１６０は、生成した拡縮後配管配置情報ＡＬＩを出力部１５０に出力する。
出力部１５０は、拡縮部１６０から取得した拡縮後配管配置情報ＡＬＩを記憶部５０に出力する。
【００６２】
次に、図を参照しながら、配管設計装置１０の一連の動作の一例について説明する。
図９は、実施形態における配管設計装置１０の一連の動作の一例を示す図である。
［配管設計装置１０の一連の動作］
（ステップＳ１０）配管設計装置１０が備える配管径決定部１１０は、性状情報取得部３０から取得される性状情報ＣＩ（流体性状データ）を取得する。
（ステップＳ２０）配管径決定部１１０は、配管形状テンプレート情報記憶部２０から配管形状テンプレート情報ＴＩ（ガバナステーション雛形データ）を取得する。配管径決定部１１０は、取得した性状情報ＣＩ及び配管形状テンプレート情報ＴＩに基づき、分岐配管ＢＰの径（配管径）を決定する。配管径決定部１１０は、決定した分岐配管ＢＰの径の情報を、分岐配管径情報ＤＩとして、配管要素選択部１３０に提供する。
【００６３】
（ステップＳ３０）配管情報取得部１２０は、配管情報記憶部４０から配管情報ＰＩを取得する。配管情報取得部１２０は、取得した配管情報ＰＩを配管要素選択部１３０に提供する。配管要素選択部１３０は、分岐配管径情報ＤＩ、性状情報ＣＩ及び配管情報ＰＩに基づき、配管要素（配管パーツ）を選択する。配管情報取得部１２０は、選択した配管要素を、配管要素情報ＥＩとして配管配置情報生成部１４０に提供する。
【００６４】
（ステップＳ４０）配管配置情報生成部１４０は、配管形状テンプレート情報記憶部２０から配管形状テンプレート情報ＴＩを、配管要素選択部１３０から配管要素情報ＥＩを、配管情報取得部１２０から配管情報ＰＩを取得する。配管配置情報生成部１４０は、取得した配管形状テンプレート情報ＴＩ、配管要素情報ＥＩ及び配管情報ＰＩに基づいて配管要素の配置（パーツ配置）を行う。配管配置情報生成部１４０は、配管要素を配置した情報を、拡縮前配管配置情報ＢＬＩとして出力部１５０及び拡縮部１６０に提供する。
（ステップＳ５０）拡縮部１６０は、配管配置情報生成部１４０から拡縮前配管配置情報ＢＬＩを、規定情報記憶部６０から規定情報ＲＩを取得する。拡縮部１６０は、取得した拡縮前配管配置情報ＢＬＩ及び規定情報ＲＩに基づき、拡縮を行う。拡縮部１６０は、拡縮後の配置形状を生成する。拡縮部１６０は、拡縮後の配置形状を、拡縮後配管配置情報ＡＬＩとして出力部１５０に出力する。
【００６５】
（ステップＳ６０）なお、本実施形態において、配管設計装置１０は、ステップＳ６０を行ってもよい。この場合、拡縮後配管配置情報ＡＬＩは、ガバナステーションの外壁の位置を示す情報（拡縮後分岐配管収容空間情報）を有する。拡縮後分岐配管収容空間情報は、建屋情報ＢＩが示す空間の寸法のうち少なくとも一部の拡大倍率が変更された情報である。
拡縮部１６０は、分岐配管ＢＰの配置形状に基づき、外壁の位置を決定する。つまり、拡縮部１６０は、配管配置情報生成部１４０が生成する拡縮前配管配置情報ＢＬＩと、配管形状テンプレート情報ＴＩが有する建屋情報ＢＩと、規定情報ＲＩとに基づいて、拡縮後分岐配管収容空間情報を生成する。
拡縮部１６０は、ガバナステーションの外壁の位置を示す情報を含む拡縮後配管配置情報ＡＬＩを、出力部１５０に提供する。出力部１５０は、拡縮部１６０が生成する拡縮後分岐配管収容空間情報を有する拡縮後配管配置情報ＡＬＩを出力する。
【００６６】
以上説明したように、本実施形態において、配管設計装置１０は、配管形状テンプレート情報ＴＩ、性状情報ＣＩ及び配管情報ＰＩを取得する。配管設計装置１０は、取得した配管形状テンプレート情報ＴＩ、性状情報ＣＩ及び配管情報ＰＩに基づき、配管配置情報ＬＩを生成し、記憶部５０に出力する。
従来、配管配置情報ＬＩを得るためには、配管設計技術者による配管設計を行っていたため、経験のある配管設計技術者を要し、配管設計を行う手間と時間がかかっていた。本実施形態においては、配管設計装置１０は、配管形状テンプレート情報ＴＩ、性状情報ＣＩ及び配管情報ＰＩを取得することにより、配管配置情報ＬＩを出力する。
したがって、ユーザ７０は、配管設計装置１０を使用することにより、時間と手間がかからず、また、配管設計技術者の経験に拠らず、配管配置情報ＬＩを得ることができる。
【００６７】
また、本実施形態によれば、配管設計装置１０は、拡縮部１６０をさらに備えていてもよい。拡縮部１６０は、配管配置情報生成部１４０が出力する拡縮前配管配置情報ＢＬＩに対し、拡縮を行う。拡縮部１６０は、拡縮後配管配置情報ＡＬＩを出力部１５０に提供する。出力部１５０は、拡縮後配管配置情報ＡＬＩを配管配置情報ＬＩとして記憶部５０に出力する。
従来、配管設計技術者により、分岐配管ＢＰの隔離距離を確認していた。配管設計技術者は、分岐配管ＢＰの隔離距離が規定された値よりも短い場合には、より長い分岐配管を配置することにより、隔離距離を確保していた。同様に、分岐配管ＢＰの隔離距離が規定された値よりも長い場合には、より短い分岐配管を配置することにより、分岐配管ＢＰの配置形状を縮小していた。つまり、従来、配管設計技術者により、分岐配管ＢＰ配置形状の拡縮を行っていた。
本実施形態においては、配管設計装置１０は、拡縮部１６０を備えることにより、配管配置情報ＬＩの拡縮を行うことができる。したがって、配管設計装置１０は、配管設計技術者によらず、配管配置情報ＬＩを拡縮することができる。その結果、配管設計装置１０は、規定に則った配置形状の設計をすることができる。また、配管設計装置１０は、余計なスペースを要しない配置形状の設計をすることができる。
【００６８】
また、本実施形態によれば、拡縮とは、分岐配管ＢＰの長さを変えることである。配管設計装置１０が備える拡縮部１６０は、分岐配管ＢＰの、直管の長さを変えることにより、拡縮を行う。
したがって、拡縮部１６０は、曲管やＴＥＥを変えずに直管の長さを変えることにより、拡縮を行うことができる。
【００６９】
また、本実施形態によれば、配管設計装置１０が備える拡縮部１６０は、平行配管の場合には、長い方の配管に合わせて拡縮を行う。したがって、拡縮後の配置形状が、拡縮を行うことにより規定を満たさなくなることがない。
【００７０】
また、本実施形態によれば、配管形状テンプレート情報ＴＩは、分岐配管収容空間情報を有する。したがって、配管設計装置１０が備える配管配置情報生成部１４０は、分岐配管収容空間情報に基づき、建屋等の形状に合わせて配管を配置することができる。
したがって、配管設計装置１０は、建屋等の形状に合わせた配置形状の設計をすることができる。
【００７１】
また、本実施形態によれば、配管配置情報ＬＩは、拡縮後分岐配管収容空間情報を有する。配管設計装置１０が備える拡縮部１６０は、配管配置情報ＬＩが有する拡縮後分岐配管収容空間情報を生成することにより、建屋等の寸法を決定することができる。
【００７２】
また、本実施形態によれば、出力部１５０は、共通形式のファイルを出力することができる。したがって、ユーザ７０は、ビューワーに拘束されることなく、他のビューワーを利用して、配管配置情報ＬＩを閲覧することができる。また、他のビューワーにより作成されたファイルを、本実施形態における配管設計装置１０に使用することもできる。
【００７３】
また、本実施形態によれば、配管形状テンプレート情報ＴＩは、流量及び圧力の区分を示す情報を有する。したがって、配管設計装置１０は、分岐配管ＢＰの流量及び圧力の区分に応じた配管径を選択することができる。
【００７４】
また、本実施形態によれば、流体とは、ガスであり、性状とは、圧、温度、流量、流速、組成である。したがって、ガスの圧力、温度、流量、流速又は組成に基づき、配管を自動設計することができる。
【００７５】
なお、上述した配管設計装置１０が備える機能の全部又は一部は、プログラムとしてコンピュータ読み取り可能な記録媒体に記録され、このプログラムがコンピュータシステムにより実行されてもよい。コンピュータシステムは、ＯＳ、周辺機器等のハードウェアを含むものとする。また、コンピュータ読み取り可能な記録媒体は、例えば、フレキシブルディスク、光磁気ディスク、ＲＯＭ（Read  Only  Memory）、ＣＤ−ＲＯＭ等の可搬媒体、コンピュータシステムに内蔵されるハードディスク等の記憶装置、インターネット等のネットワーク上のサーバ等が備える揮発性メモリ（Random  Access  Memory：ＲＡＭ）である。なお、揮発性メモリは、一定時間プログラムを保持する記録媒体の一例である。
【００７６】
また、上述したプログラムは、伝送媒体、例えば、インターネット等のネットワーク、電話回線等の通信回線により他のコンピュータシステムに伝送されてもよい。
【００７７】
また、上記プログラムは、上述した機能の全部又は一部を実現するプログラムであってもよい。なお、上述した機能の一部を実現するプログラムは、上述した機能をコンピュータシステムに予め記録されているプログラムとの組み合わせで実現できるプログラム、いわゆる差分プログラムであってもよい。
【００７８】
以上、本発明の実施形態について図面を参照しながら説明したが、具体的な構成が上述した実施形態に限られるわけではなく、本発明の要旨を逸脱しない範囲での設計変更等も含まれる。
【符号の説明】
【００７９】
１…自動配管設計システム１、１０…配管設計装置、２０…配管形状テンプレート情報記憶部、３０…性状情報取得部、４０…配管情報記憶部、５０…記憶部、６０…規定情報記憶部、７０…ユーザ、１１０…配管径決定部、１２０…配管情報取得部、１３０…配管要素選択部、１４０…配管配置情報生成部、１５０…出力部、ＴＩ…配管形状テンプレート情報、ＣＩ…性状情報、ＰＩ…配管情報、ＤＩ…分岐配管径情報、ＥＩ…配管要素情報、ＬＩ…配管配置情報、ＢＬＩ…拡縮前配管配置情報、ＡＬＩ…拡縮後配管配置情報、ＲＩ…規定情報、Ｐ…配管、ＭＰ…母管、ＢＰ…分岐配管、３００…性状情報取得画面、３１０…ファイル読み込み部、３１１…ＵＲＬ入力ボックス、３１２…参照ボタン、３１３…読み込みボタン、３２０…性状情報入力部、３２１…上流側圧力入力ボックス、３２１ａ…上流側圧力選択ボタン、３２２…下流側圧力入力ボックス、３２３…流量入力ボックス、３２４…最高流速入力ボックス、３３０…必要口径計算ボタン、３４０…計算値表示部、３５０…選定口径表示部、ＴＬＩ…形状情報、ＴＦＩ…流体情報、ＢＩ１…建屋情報、ＢＩ２…建屋情報、ＭＰＩ…母管情報
【図１】
0006887477.tif 000002
【図２】
0006887477.tif 000003
【図３】
0006887477.tif 000004
【図４】
0006887477.tif 000005
【図５】
0006887477.tif 000006
【図６】
0006887477.tif 000007
【図７】
0006887477.tif 000008
【図８】
0006887477.tif 000009
【図９】
0006887477.tif 000010